(57)【特許請求の範囲】
【請求項１】
画像データを暗号化して、当該暗号化した画像データを伝送する送信装置において、
上記暗号化した画像データと共に伝送される所定データに基づいて識別信号を生成する識別信号生成手段と、
上記画像データに基づく画像の１フレーム分又は１ライン分の複数の画素に応じた複数種類のシヤフリングパターンを有し、当該複数種類のシヤフリングパターンから上記識別信号に応じた上記シヤフリングパターンを選定し、当該選定した上記シヤフリングパターンに応じて各上記画素を並べ替えるアドレスからなる鍵データを生成する鍵データ生成手段と、
上記鍵データに基づいて上記画像データに基づく上記画像の上記１フレーム分又は１ライン分の各上記画素をシヤフリングすることにより当該画像データを暗号化する暗号化手段と
を具えることを特徴とする送信装置。
【請求項２】
上記識別信号生成手段は、
上記所定データとしての音声データを上記画像データと同期させ、かつ上記音声データの時間軸方向又は上記音声データのレベル方向に所定のタイミングでサンプリングして所定のビツト数でなる上記識別信号を生成する
ことを特徴とする請求項１に記載の送信装置。
【請求項３】
上記識別信号生成手段は、
上記所定データとしての文字多重信号をデコードして文字画素を生成し、当該生成した文字画像に基づいて上記識別信号を生成する
ことを特徴とする請求項１に記載の送信装置。
【請求項４】
送信装置から伝送される暗号化された画像データを受信する受信装置において、
上記暗号化された画像データと共に伝送された所定データに基づいて識別信号を生成する識別信号生成手段と、
上記暗号化された画像データに基づく画像の１フレーム分又は１ライン分の複数の画素に応じた複数種類のシヤフリングパターンを有し、当該複数種類のシヤフリングパターンから上記識別信号に応じた上記シヤフリングパターンを選定し、当該選定した上記シヤフリングパターンに応じて各上記画素を並べ替えるアドレスからなる鍵データを生成する鍵データ生成手段と、
上記鍵データに基づいて上記暗号化された画像データに基づく上記画像の１フレーム分又は１ライン分の各上記画素をデシヤフリングすることにより当該暗号化された画像データを復号化する復号化手段と
を具えることを特徴とする受信装置。
【請求項５】
上記識別信号生成手段は、
上記所定データとしての音声データを上記暗号化された画像データと同期させ、かつ上記音声データの時間軸方向又は上記音声データのレベル方向に所定のタイミングでサンプリングして所定のビツト数でなる上記識別信号を生成する
ことを特徴とする請求項４に記載の受信装置。
【請求項６】
上記識別信号生成手段は、
上記所定データとしての文字多重信号をデコードして文字画素を生成し、当該生成した文字画像に基づいて上記識別信号を生成する
ことを特徴とする請求項４に記載の受信装置。
【請求項７】
画像データを暗号化して、当該暗号化した画像データを伝送する送信方法において、
上記暗号化した画像データと共に伝送する所定データに基づいて識別信号を生成し、上記画像データに基づく画像の１フレーム分又は１ライン分の複数の画素に応じた複数種類のシヤフリングパターンから上記識別信号に応じた上記シヤフリングパターンを選定し、当該選定した上記シヤフリングパターンに応じて各上記画素を並べ替えるアドレスからなる鍵データを生成する第１のステツプと、
上記鍵データに基づいて上記画像データに基づく上記画像の１フレーム分又は１ライン分の各上記画素をシヤフリングすることにより当該画像データを暗号化する第２のステツプと
を具えることを特徴とする送信方法。
【請求項８】
上記第１のステツプでは、
上記所定データとしての音声データを上記画像データと同期させ、かつ上記音声データの時間軸方向又は上記音声データのレベル方向に所定のタイミングでサンプリングして所定のビツト数でなる上記識別信号を生成する
ことを特徴とする請求項７に記載の送信方法。
【請求項９】
上記第１のステツプでは、
上記所定データとしての文字多重信号をデコードして文字画素を生成し、当該生成した文字画像に基づいて上記識別信号を生成する
ことを特徴とする請求項７に記載の送信方法。
【請求項１０】
伝送される暗号化された画像データを受信する受信方法において、
上記暗号化された画像データと共に伝送された所定データに基づいて識別信号を生成し、上記暗号化された画像データに基づく画像の１フレーム分又は１ライン分の複数の画素に応じた複数種類のシヤフリングパターンから上記識別信号に応じた上記シヤフリングパターンを選定し、当該選定した上記シヤフリングパターンに応じて各上記画素を並べ替えるアドレスからなる鍵データを生成する第１のステツプと、
上記鍵データに基づいて上記暗号化された画像データに基づく上記画像の１フレーム分又は１ライン分の各上記画素をデシヤフリングすることにより当該暗号化された画像データを復号化する第２のステツプと
を具えることを特徴とする受信方法。
【請求項１１】
上記第１のステツプでは、
上記所定データとしての音声データを上記暗号化された画像データと同期させ、かつ上記音声データの時間軸方向又は上記音声データのレベル方向に所定のタイミングでサンプリングして所定のビツト数でなる上記識別信号を生成する
ことを特徴とする請求項１０に記載の受信方法。
【請求項１２】
上記第１のステツプでは、
上記所定データとしての文字多重信号をデコードして文字画素を生成し、当該生成した文字画像に基づいて上記識別信号を生成する
ことを特徴とする請求項１０に記載の受信方法。
【発明の詳細な説明】
【０００１】
【目次】
以下の順序で本発明を説明する。
発明の属する技術分野
従来の技術
発明が解決しようとする課題
課題を解決するための手段
発明の実施の形態
（１）第１実施例（図１〜図３）
（２）第２実施例（図４）
（３）他の実施例（図５及び図６）
発明の効果
【０００２】
【発明の属する技術分野】
本発明は送信装置、受信装置、送信方法及び受信方法に関し、例えば画像データと音声データとからなる伝送信号を伝送する送受信システムに設けられた送信装置及び受信装置と、当該送受信システムにおける送信方法及び受信方法に適用して好適なものである。
【０００３】
【従来の技術】
従来、この種の送受信システムとしては、テレビ会議システムや個人契約の映画放送等に用いられる場合、送信装置において画像データを暗号化して当該暗号化された画像データ（以下、これを暗号化画像データと呼ぶ）と音声データとからなる伝送信号を伝送し、当該伝送信号を受信装置において受信して暗号化画像データを復号化することにより伝送対象の画像データの秘匿性を補償し得るようになされている。
【０００４】
ところでこの送受信システムにおいては、送信装置において画像データを暗号化すると共に、受信装置において暗号化画像データを復号化する場合、例えばＲＳＡ（Rivest-Shamir-Adleman ）暗号方式やＤＥＳ（Data Encription Standard）暗号方式等の暗号処理方式が用いられている。すなわちこの送受信システムにおいては、送信装置において暗号処理方式により所定フオーマツトの暗号化鍵に基づいて画像データを暗号化すると共に、受信装置において暗号処理方式により所定フオーマツトの復号化鍵に基づいて暗号化画像データを復号化するようになされている。
【０００５】
【発明が解決しようとする課題】
ところでこのような送受信システムにおいては、送信装置において画像データを暗号化するには当該画像データを所定ビツト数毎のブロツクに区切り、これら各ブロツク毎に暗号化処理する。また受信装置において暗号化画像データを復号化するには、当該暗号化画像データを所定ビツト数毎のブロツクに区切り、これら各ブロツク毎に復号化処理する。
【０００６】
ところが、通常、画像データは伝送レートが比較的速いため、送受信システムの送信装置において画像データを暗号化するには、当該画像データの各ブロツクを並列に暗号化処理する必要がある。従つてこのような場合には、送信装置の構成が煩雑になり、当該送信装置が大型化する問題があつた。
また送受信システムの受信装置において暗号化画像データを復号化する場合には、上述した送信装置の場合と同様に暗号化画像データの各ブロツクを並列に復号化処理することになる。従つてこの受信装置においても構成が煩雑になり、当該受信装置が大型化する問題があつた。
【０００７】
さらにこの送受信システムにおいては、画像データの暗号化及び暗号化画像データの復号化においてそれぞれ暗号化鍵及び復号化鍵が必要となる。ところがこれら暗号化鍵及び復号化鍵が第三者に渡るような場合には、当該第三者により暗号化画像データが容易に解読され、当該暗号化画像データの秘匿性を補償し難くなる。従つてこのような暗号処理方式が適用された送受信システムにおいては、暗号化鍵及び復号化鍵を安全に管理する必要がある。
【０００８】
ところでこのような問題を解決する方法として、画像データに基づく画像の複数の画素を並べ替える、いわゆるシヤフリングの手法を用いて画像データを暗号化する方法がある。ここでシヤフリングにおいては、画像データに基づく画像の各画素に応じたシヤフリングパターンとして、例えば当該画像の１フレーム分の複数のラインにおいて上下の各ライン毎にそれぞれ異なる時間づつ遅延させることにより画素の位置をずらす方式を用いる。
【０００９】
この場合このようにシヤフリングの手法が適用された送受信システムにおいては、送信装置において画像データに基づく画像を各ライン毎に順次シヤフリングパターンに基づいてシヤフリングするようにして当該画像データを暗号化する。これにより上述した暗号処理方式が適用された送受信システムに比べて画像データを比較的容易に暗号化し得ると共に、送信装置の構成を簡易にし得るようになされている。また受信装置においても暗号化画像データに基づく画像の各ライン毎に順次シヤフリングパターンに基づいてデシヤフリングするようにして当該暗号化画像データを復号化する。これにより上述した暗号処理方式が適用された送受信システムに比べて暗号化画像データを比較的容易に復号化し得ると共に、受信装置の構成を簡易にし得るようになされている。
【００１０】
ところでシヤフリングの手法が適用された送受信システムにおいては、画像データに基づく画像を各ライン毎に異なる種類のシヤフリングパターンに基づいてシヤフリングすると共に、暗号化画像データに基づく画像を各ライン毎に異なる種類のシヤフリングパターンに基づいてデシヤフリングする。このためこの送受信システムにおいては、画像データに基づく画像の各ライン毎にそれぞれ用いたシヤフリングパターンを識別する識別信号（すなわち、各ライン毎の遅延時間を示す信号）を画像データ及び音声データと共に伝送する必要がある。
【００１１】
ところが画像データと音声データとからなる伝送信号の情報量に対してさらに識別信号分の情報量が増加した場合には、送受信システムにおいては受信装置側における情報処理速度を考慮して伝送信号の伝送速度を高速にする必要がある。このためこのような場合には、送受信システムにおいて送信装置及び受信装置を高速伝送に応じた構成にする必要があり、これら送信装置及び受信装置の構成が煩雑になる問題があつた。
またこれに加え、伝送信号を伝送する回線が当該伝送信号の情報量で塞がつている場合には、識別信号を別の回線を用いて伝送する必要がある。このためこの場合には、送受信システムの送信装置及び受信装置を、伝送に使用する回線の数に応じた構成にする必要があり、これら送信装置及び受信装置の構成が煩雑になる問題があつた。
【００１２】
本発明は以上の点を考慮してなされたもので、構成を簡易にし得る送信装置及び受信装置と、送信装置の構成を簡易にし得る送信方法及び受信装置の構成を簡易にし得る受信方法を提案しようとするものである。
【００１３】
【課題を解決するための手段】
かかる課題を解決するため本発明においては、画像データを暗号化して、当該暗号化した画像データを伝送する送信装置において、暗号化した画像データと共に伝送される所定データに基づいて識別信号を生成する識別信号生成手段と、画像データに基づく画像の１フレーム分又は１ライン分の複数の画素に応じた複数種類のシヤフリングパターンを有し、当該複数種類のシヤフリングパターンから識別信号に応じたシヤフリングパターンを選定し、当該選定したシヤフリングパターンに応じて各画素を並べ替えるアドレスからなる鍵データを生成する鍵データ生成手段と、鍵データに基づいて画像データに基づく画像の１フレーム分又は１ライン分の各画素をシヤフリングすることにより当該画像データを暗号化する暗号化手段とを設けるようにする。
【００１４】
また本発明においては、送信装置から伝送される暗号化された画像データを受信する受信装置において、暗号化された画像データと共に伝送された所定データに基づいて識別信号を生成する識別信号生成手段と、暗号化された画像データに基づく画像の１フレーム分又は１ライン分の複数の画素に応じた複数種類のシヤフリングパターンを有し、当該複数種類のシヤフリングパターンから識別信号に応じたシヤフリングパターンを選定し、当該選定したシヤフリングパターンに応じて各画素を並べ替えるアドレスからなる鍵データを生成する鍵データ生成手段と、鍵データに基づいて暗号化された画像データに基づく画像の１フレーム分又は１ライン分の各画素をデシヤフリングすることにより当該暗号化された画像データを復号化する復号化手段とを設けるようにする。
【００１５】
さらに本発明においては、画像データを暗号化して、当該暗号化した画像データを伝送する送信方法において、暗号化した画像データと共に伝送する所定データに基づいて識別信号を生成し、画像データに基づく画像の１フレーム分又は１ライン分の複数の画素に応じた複数種類のシヤフリングパターンから識別信号に応じたシヤフリングパターンを選定し、当該選定したシヤフリングパターンに応じて各画素を並べ替えるアドレスからなる鍵データを生成する第１のステツプと、鍵データに基づいて画像データに基づく画像の１フレーム分又は１ライン分の各画素をシヤフリングすることにより当該画像データを暗号化する第２のステツプとを設けるようにする。
【００１６】
さらに本発明においては、伝送される暗号化された画像データを受信する受信方法において、暗号化された画像データと共に伝送された所定データに基づいて識別信号を生成し、暗号化された画像データに基づく画像の１フレーム分又は１ライン分の複数の画素に応じた複数種類のシヤフリングパターンから識別信号に応じたシヤフリングパターンを選定し、当該選定したシヤフリングパターンに応じて各画素を並べ替えるアドレスからなる鍵データを生成する第１のステツプと、鍵データに基づいて暗号化された画像データに基づく画像の１フレーム分又は１ライン分の各画素をデシヤフリングすることにより当該暗号化された画像データを復号化する第２のステツプとを設けるようにする。
【００１７】
従つて本発明では、画像データを暗号化して、当該暗号化した画像データを伝送する送信装置において、画像データを当該画像データのビツト数を増加させずに暗号化することができるので、所定データ及び画像データの情報量とほぼ同じ情報量でなる所定データ及び暗号化された画像データを伝送することができる。
【００１８】
また本発明では、送信装置から伝送される暗号化された画像データを受信する受信装置において、送信装置において所定データ及び画像データの情報量とほぼ同じ情報量でなる所定データ及び暗号化された画像データだけを伝送させることができる。
【００１９】
さらに本発明では、画像データを暗号化して、当該暗号化した画像データを伝送する送信方法において、画像データを当該画像データのビツト数を増加させずに暗号化することができるので、所定データ及び画像データの情報量とほぼ同じ情報量でなる所定データ及び暗号化された画像データを伝送することができる。
【００２０】
さらに本発明では、伝送される暗号化された画像データを受信する受信方法において、送信装置において所定データ及び画像データの情報量とほぼ同じ情報量でなる所定データ及び暗号化された画像データだけを伝送させることができる。
【００２１】
【発明の実施の形態】
以下図面について、本発明の一実施例を詳述する。
【００２２】
（１）第１実施例
図１において、１は全体として本発明が適用された送受信システムを示し、送信装置２と受信装置３とから構成されている。
この場合まず送信装置２においては、音声データＤ１を送信回路４に送出すると共に鍵データ生成回路５に送出し、当該鍵データ生成回路５は入力された音声データＤ１に基づいて所定フオーマツトの鍵データＤ２を生成して排他的論理和演算回路６に送出する。
【００２３】
ここで排他的論理和演算回路６は、鍵データＤ２と共に映像に基づく画像データＤ３が入力され、鍵データＤ２と画像データＤ３との対応するデータにおいて排他的論理和演算を行うことにより当該画像データＤ３を暗号化して暗号化画像データＤ４を生成し、当該暗号化画像データＤ４を送信回路４に送出する。かくして送信回路４は、入力された音声データＤ１と暗号化画像データＤ４とを伝送に応じた所定フオーマツトの伝送信号Ｓ１に変換して伝送する。
【００２４】
一方、受信装置３においては、伝送された伝送信号Ｓ１を受信回路１０において受信する。受信回路１０は、受信した伝送信号Ｓ１を受信装置３内部の所定フオーマツトに変換することにより当該伝送信号Ｓ１から音声データＤ１と暗号化画像データＤ４とを抽出し、当該音声データＤ１を鍵データ生成回路１１に送出すると共に、図示しない音声データ再生回路側に送出する。これに加え、受信回路１０は暗号化画像データＤ４を排他的論理和演算回路１２に送出する。
【００２５】
ここで鍵データ生成回路１１は、入力された音声データＤ１に基づいて送信装置２の鍵データ生成回路５において生成された鍵データＤ２と同じ鍵データＤ５を生成して排他的論理和演算回路１２に送出する。
排他的論理和演算回路１２は、入力された鍵データＤ５と暗号化画像データＤ４との対応するデータにおいて排他的論理和演算を行うことにより当該暗号化画像データＤ４を復号化して画像データＤ６を得て、当該画像データＤ６を図示しない画像データ再生回路側に送出する。
【００２６】
このようにこの送受信システム１においては、送信装置２及び受信装置３においてそれぞれ音声データＤ１に基づいて同じ鍵データＤ２及びＤ５を生成することにより、送信装置２において暗号化画像データＤ４と音声データＤ１とからなる伝送信号Ｓ１だけを伝送し得るようになされている。
【００２７】
ここで送信装置２においては、アナログ信号でなる図示しない音声信号が例えば48〔kHz 〕程度のサンプリング周波数で順次サンプリングされた後、これらサンプリングされた複数の値がそれぞれ16ビツトで量子化されてなる２チヤンネルのデータからなる音声データＤ１が鍵データ生成回路５に入力される。
【００２８】
この場合図２に示すように、鍵データ生成回路５は、音声データＤ１の一方のチヤンネル（以下、これをＬチヤンネルと呼ぶ）の16ビツトのデータを８ビツト単位で切り出すと共に、他方のチヤンネル（以下、これをＲチヤンネルと呼ぶ）の16ビツトのデータを８ビツト単位で切り出して、これらＬチヤンネルとＲチヤンネルとから切り出されたデータを交互に並べるようにする。すなわちこの鍵データ生成回路５は、Ｌチヤンネルのデータから切り出したＭＳＢ（Most Significant Bit）側の８ビツトのデータ（以下、これをＭＳＰ:Most Significant Partと呼ぶ）及びＬＳＢ（Least Significant Bit ）側の８ビツトのデータ（以下、これをＬＳＰ:Least Significant Part と呼ぶ）と、Ｒチヤンネルのデータから切り出したＭＳＰ及びＬＳＰとを交互に並べて鍵データを生成するようになされている。
【００２９】
実際上図３に示すように、鍵データ生成回路５においては、音声データＤ１がまずマルチプレクサ（ＭＰＸ:Multiplexer）１５に入力される。
この場合ＭＰＸ１５は、音声データＤ１のＬチヤンネルのデータとＲチヤンネルのデータとを図示しない所定の選択制御信号が供給されたタイミングに応じて上述した図２に示すように交互に切り出して、フアーストインフアーストアウト（ＦＩＦＯ:first in first out ）１６に送出する。
ＦＩＦＯ１６は、書き込み側に48〔kHz 〕程度の周波数でなる書き込みクロツク信号ＣＫ１が供給されており、当該書き込みクロツク信号ＣＫ１が供給されたタイミングに応じてＬチヤンネルのデータとＲチヤンネルのデータとを交互に書き込む。
【００３０】
ここで鍵データ生成回路５は、所定の分周器１７を有し、当該分周器１７は例えば14.3〔MHz 〕程度のサンプリング周波数Ｆ１が供給されていると共に、画像データＤ３の水平同期信号がタイミング信号Ｓ２として供給されている。従つてこの分周器１７は、供給された14.3〔MHz 〕程度のサンプリング周波数Ｆ１を分周して48〔kHz 〕程度の周波数に比較的近い値の周波数でなる読み出しクロツク信号ＣＫ２を生成し、当該読み出しクロツク信号ＣＫ２をタイミング信号Ｓ２が供給されたタイミングに応じてＦＩＦＯ１６の読み出し側に供給する。
これによりＦＩＦＯ１６は、内部に書き込まれたＬチヤンネルのデータとＲチヤンネルのデータとを順次読み出しクロツク信号ＣＫ２が供給されたタイミングに応じて交互に読み出すようになされている。
【００３１】
かくしてこの鍵データ生成回路５は、音声データＤ１のＬチヤンネルのデータとＲチヤンネルのデータとを８ビツト単位で交互に切り出した後、ＦＩＦＯ１６を介して読み出すことにより、画像データＤ３の時間軸と同期され、かつ当該画像データＤ３に基づく画像の画素数に応じたデータ数を有する鍵データＤ２を生成し得るようになされている。
【００３２】
また送信装置２においては、鍵データＤ２と画像データＤ３とが排他的論理和演算回路６に入力され、当該排他的論理和演算回路６は鍵データＤ２と画像データＤ３との対応するデータにおいて排他的論理和演算を行うことにより、当該画像データＤ３のデータ数を増加させずに暗号化して暗号化画像データＤ４を生成し得るようになされている。
かくしてこの送受信システム１の送信装置２においては、画像データＤ３及び音声データＤ１の情報量とほぼ同じ情報量を有する暗号化画像データＤ４及び音声データＤ１からなる伝送信号Ｓ１を伝送し得るようになされている。
【００３３】
一方、送受信システム１の受信装置３においては、鍵データ生成回路１１が上述した送信装置２の鍵データ生成回路５と同様に構成されており、当該鍵データ生成回路１１において音声データＤ１がＭＰＸに入力される。
ＭＰＸは、音声データＤ１のＬチヤンネルのデータとＲチヤンネルのデータとを所定の選択制御信号が供給されたタイミングに応じて上述した図２に示すように交互に切り出して、ＦＩＦＯに送出する。
ＦＩＦＯは、書き込み側に48〔kHz 〕程度の周波数でなる書き込みクロツク信号が供給されており、当該書き込みクロツク信号が供給されたタイミングに応じてＬチヤンネルのデータとＲチヤンネルのデータとを交互に書き込む。
【００３４】
ここで受信装置３の鍵データ生成回路１１は、分周器を有し、当該分周器は例えば14.3〔MHz 〕程度のサンプリング周波数が供給されていると共に、画像データＤ３の水平同期信号がタイミング信号として供給されている。従つてこの分周器は、供給された14.3〔MHz 〕程度のサンプリング周波数を分周して48〔kHz 〕程度の周波数に比較的近い値の周波数でなる読み出しクロツク信号を生成し、当該読み出しクロツク信号をタイミング信号が供給されたタイミングに応じてＦＩＦＯの読み出し側に供給する。
これによりＦＩＦＯは、内部に書き込まれたＬチヤンネルのデータとＲチヤンネルのデータとを順次読み出しクロツク信号が供給されたタイミングに応じて交互に読み出すようになされている。
【００３５】
かくしてこの受信装置３の鍵データ生成回路１１は、送信装置２の鍵データ生成回路５において生成された鍵データＤ２と同じ鍵データＤ５を生成し得るようになされている。
また受信装置３においては、暗号化画像データＤ４と鍵データＤ５とが排他的論理和演算回路１２に入力され、当該排他的論理和演算回路１２は鍵データＤ２と暗号化画像データＤ４との対応するデータにおいて排他的論理和演算を行うことにより暗号化画像データＤ４を復号化し得るようになされている。
【００３６】
以上の構成において、この送受信システム１においては、まず送信装置２において音声データＤ１を鍵データ生成回路５及び送信回路４に送出すると共に、画像データＤ３を排他的論理和演算回路６に送出する。次いで鍵データ生成回路５において音声データＤ１から画像データＤ３の時間軸と同期された所定フオーマツトの鍵データＤ２を生成して排他的論理和演算回路６に送出する。続いて排他的論理和演算回路６において鍵データＤ２と画像データＤ３との対応するデータにおいてそれぞれ排他的論理和演算を行うことにより、当該画像データＤ３を暗号化して暗号化画像データＤ４を生成し、当該暗号化画像データＤ４を送信回路４に送出する。この後送信回路４において暗号化画像データＤ４と音声データＤ１とからなる伝送信号Ｓ１を伝送する。
【００３７】
一方、受信装置３においては、受信回路１０において伝送信号Ｓ１を受信して当該伝送信号Ｓ１から暗号化画像データＤ４と音声データＤ１とを抽出し、暗号化画像データＤ４を排他的論理和演算回路１２に送出すると共に、音声データＤ１を鍵データ生成回路１１に送出する。次いで鍵データ生成回路１１において音声データＤ１から送信装置２の鍵データ生成回路５において生成された鍵データＤ２と同じ鍵データＤ５を生成し、当該鍵データＤ５を排他的論理和演算回路１２に送出する。次いで排他的論理和演算回路１２において鍵データＤ５と暗号化画像データＤ４との対応するデータにおいて排他的論理和演算を行うことにより、当該暗号化画像データＤ４を復号化することができる。
【００３８】
従つてこの送受信システム１においては、送信装置２及び受信装置３のそれぞれ鍵データ生成回路５及び１１において音声データＤ１を８ビツト毎に切り出すようにして鍵データＤ２及びＤ５を生成するようにしたことにより、これら鍵データＤ２及びＤ５を容易に生成することができる。
【００３９】
またこの送受信システム１においては、送信装置２の鍵データ生成回路５において音声データＤ１から所定フオーマツトの鍵データＤ２を生成し、当該送信装置２の排他的論理和演算回路６において当該鍵データＤ２と画像データＤ３との対応するデータにおいて排他的論理和演算を行うようにして当該画像データＤ３を暗号化すると共に、受信装置３の鍵データ生成回路１１において音声データＤ１から所定フオーマツトの鍵データＤ５を生成し、当該受信装置３の排他的論理和演算回路１２において当該鍵データＤ５と暗号化画像データＤ４との対応するデータにおいて排他的論理和演算を行うようにして当該暗号化画像データＤ４を復号化するようにしたことにより、送信装置２と受信装置３との構成を同じ構成にすることができる。
【００４０】
さらにこの送受信システム１においては、送信装置２の鍵データ生成回路５において音声データＤ１から所定フオーマツトの鍵データＤ２を生成すると共に、当該送信装置２の排他的論理和演算回路６において当該鍵データＤ２と画像データＤ３との対応するデータにおいて排他的論理和演算を行うようにして当該画像データＤ３を暗号化して暗号化画像データＤ４を生成するようにしたことにより、画像データＤ３のビツト数を増加させずに暗号化することができるので、暗号化画像データＤ４と音声データＤ１とからなる伝送信号Ｓ１の情報量を画像データＤ３と音声データＤ１との情報量とほぼ同じ情報量にすることができる。
【００４１】
さらにこの送受信システム１においては、送信装置２の鍵データ生成回路５において生成した鍵データＤ２と同じ鍵データＤ５を受信装置３の鍵データ生成回路１１において生成するようにしたことにより、送信装置２において暗号化画像データＤ４及び音声データＤ１からなる伝送信号Ｓ１だけを伝送することができる。従つてこの送受信システム１においては、送信装置２と受信装置３との構成を簡易にすることができる。
【００４２】
以上の構成によれば、送信装置２の鍵データ生成回路５において音声データＤ１から所定フオーマツトの鍵データＤ２を生成し、当該送信装置２の排他的論理和演算回路６において鍵データＤ２と画像データＤ３との対応するデータにおいて排他的論理和演算を行うことにより当該画像データＤ３を暗号化して暗号化画像データＤ４を生成すると共に、受信装置３の鍵データ生成回路１１において音声データＤ１から所定フオーマツトの鍵データＤ５を生成し、当該受信装置３の排他的論理和演算回路１２において鍵データＤ５と暗号化画像データＤ４との対応するデータにおいて排他的論理和演算を行うことにより当該暗号化画像データＤ４を復号化するようにしたことにより、送信装置２において暗号化画像データＤ４及び音声データＤ１からなる伝送信号Ｓ１だけを伝送することができるので、これら送信装置２と受信装置３との構成を簡易にすることができ、かくして
送受信システム１を簡易に構成することができる。
【００４３】
また以上の構成によれば、音声データＤ１から所定フオーマツトの鍵データＤ２を生成する鍵データ生成回路５と、当該鍵データＤ２と画像データＤ３との対応するデータにおいて排他的論理和演算を行うことにより当該画像データＤ３を暗号化する排他的論理和演算回路６とを設けるようにしたことにより、画像データＤ３及び音声データＤ１の情報量とほぼ同じ情報量でなる暗号化画像データＤ４及び音声データＤ１を伝送することができ、かくして構成を簡易にし得る送信装置を実現することができる。
【００４４】
さらに以上の構成によれば、送信装置２において音声データＤ１から所定フオーマツトの鍵データＤ２を生成し、当該鍵データＤ２と画像データＤ３との対応するデータにおいて排他的論理和演算を行うようにして当該画像データＤ３を暗号化するのに対応させて、音声データＤ１から所定フオーマツトの鍵データＤ５を生成する鍵データ生成回路１１と、暗号化画像データＤ４と鍵データＤ５との対応するデータにおいて排他的論理和演算を行うことにより当該暗号化画像データＤ４を復号化する排他的論理和演算回路１２とを設けるようにしたことにより、送信装置２において画像データＤ３及び音声データＤ１の情報量とほぼ同じ情報量でなる暗号化画像データＤ４及び音声データＤ１だけを伝送させることができ、かくして構成を簡易にし得る受信装置を実現することができる。
【００４５】
さらに以上の構成によれば、音声データＤ１から所定フオーマツトの鍵データＤ２を生成し、次いで当該鍵データＤ２と画像データＤ３との対応するデータにおいて排他的論理和演算を行うようにして当該画像データＤ３を暗号化するようにしたことにより、画像データＤ３を当該画像データＤ３のビツト数を増加させずに暗号化することができるので、画像データＤ３及び音声データＤ１の情報量とほぼ同じ情報量でなる暗号化画像データＤ４及び音声データＤ１を伝送することができ、かくして送信装置の構成を簡易にし得る送信方法を実現することができる。
【００４６】
さらに以上の構成によれば、送信装置２において音声データＤ１から所定フオーマツトの鍵データＤ２を生成し、当該鍵データＤ２と画像データＤ３との対応するデータにおいて排他的論理和演算を行うようにして当該画像データＤ３を暗号化するのに対応させて、音声データＤ１から送信装置２において生成された鍵データＤ２と同じ鍵データＤ５を生成し、次いで当該鍵データＤ４と暗号化画像データＤ４との対応するデータにおいて排他的論理和演算を行うようにして当該暗号化画像データＤ４を復号化するようにしたことにより、送信装置２において画像データＤ３及び音声データＤ１の情報量とほぼ同じ情報量でなる暗号化画像データＤ４及び音声データＤ１だけを伝送させることができ、かくして受信装置の構成を簡易にし得る受信方法を実現することができる。
【００４７】
（２）第２実施例
図４は、第２実施例による送受信システム２０を示し、まず送信装置２１においては、画像データＤ１０に基づく画像の１フレーム分の複数の画素に応じた複数種類のシヤフリングパターンから順次音声データＤ１１に基づいて特定のシヤフリングパターンを選定し、当該シヤフリングパターンに基づいて画像データＤ１０に基づく画像を１フレーム単位毎にシヤフリングするようにして当該画像データＤ１０を暗号化し得るようになされている。
一方、受信装置２２においては、上述した各種シヤフリングパターンと同様の各種シヤフリングパターンから順次音声データＤ１１に基づいて特定のシヤフリングパターンを選定し、当該シヤフリングパターンに基づいて暗号化画像データＤ１２に基づく画像を１フレーム単位毎にデシヤフリングするようにして当該暗号化画像データＤ１２を復号化し得るようになされている。
【００４８】
実際上、送信装置２１においては、画像データＤ１０が当該画像データＤ１０の垂直同期信号を抽出する同期信号抽出回路２３に送出されると共に、シヤフリングメモリ２４に送出される。
同期信号抽出回路２３は、入力された画像データＤ１０の垂直同期信号のタイミングに応じてサンプリングクロツク信号ＣＫ１０を発生し、当該サンプリングクロツク信号ＣＫ１０をそれぞれ鍵データ生成回路２５の標本化部２６及びカウンタ２７に送出する。
【００４９】
カウンタ２７は、入力されたサンプリングクロツク信号ＣＫ１０に基づいて画像データＤ１０に基づく画像の１フレーム分の各画素のアドレスを発生して、これら各画素のアドレスに基づくアドレス信号Ｓ１０をそれぞれ鍵データ生成回路２５のシヤフリングアドレス生成部２８及びシヤフリングメモリ２４に送出する。
シヤフリングメモリ２４は、画像データＤ１０をアドレス信号Ｓ１０に応じて当該画像データＤ１０に基づく画像のフレーム単位毎に順次書き込む。
【００５０】
またこの送信装置２１においては、音声データＤ１１が送信回路２９に送出されると共に、標本化部２６に送出される。
標本化部２６は、入力された音声データＤ１１をサンプリングクロツク信号ＣＫ１０が供給されるタイミングに応じて当該音声データＳ１１の時間軸方向又はレベル方向にサンプリングすることにより画像データＤ１０の時間軸と同期させた所定ビツト数の識別信号Ｓ１１を生成する。かくして標本化部２６は、画像データＤ１０に基づく画像の各フレームにそれぞれ対応させて順次識別信号Ｓ１１を生成し、当該識別信号Ｓ１１をシヤフリングアドレス生成部２８に送出する。
【００５１】
シヤフリングアドレス生成部２８は、内部に設けられた図示しないＲＯＭ（read only memory）に各種シヤフリングパターンが記憶されており、これら各種シヤフリングパターンから識別信号Ｓ１１に応じたシヤフリングパターンを選定して読み出す。この後シヤフリングアドレス生成部２８は、カウンタ２６から入力されたアドレス信号Ｓ１０に基づいて画像データＤ１０に基づく画像の１フレーム分の各画素がシヤフリングパターンに応じて並べ替えられるべきアドレス（以下、これをシヤフリングアドレスと呼ぶ）を生成し、当該シヤフリングアドレスに応じたシヤフリングアドレス信号Ｓ１２をシヤフリングメモリ２４に送出する。
【００５２】
シヤフリングメモリ２４は、入力されたシヤフリングアドレス信号Ｓ１２に基づいて画像データＤ１０に基づく画像を１フレーム単位毎に順次読み出すようにして当該画像の１フレーム毎の各画素をシヤフリングすることにより当該画像データＤ１０を暗号化して暗号化画像データＤ１２を生成する。またシヤフリングメモリ２４は、このようにして生成した暗号化画像データＤ１２を送信回路２９に送出する。
送信回路２９は、入力された音声データＤ１１と暗号化画像データＤ１２とを伝送に応じた所定フオーマツトの伝送信号Ｓ１３に変換して伝送する。
【００５３】
一方、受信装置２２においては、受信回路３０において伝送信号Ｓ１３を受信する。受信回路３０は、伝送信号Ｓ１３を受信装置２２内部の所定フオーマツトに変換することにより当該伝送信号Ｓ１３から暗号化画像データＤ１２と音声データＤ１１とを抽出し、当該暗号化画像データＤ１２を同期信号抽出回路３１に送出すると共に、デシヤフリングメモリ３２に送出する。また音声データＤ１１を鍵データ生成回路３３の標本化部３４に送出すると共に、図示しない音声データ再生回路側に送出する。
【００５４】
同期信号抽出回路３１は、入力された暗号化画像データＤ１２の垂直同期信号のタイミングに応じてサンプリングクロツク信号ＣＫ１５を発生し、当該サンプリングクロツク信号ＣＫ１５をそれぞれ標本化部３４及びカウンタ３５に送出する。
カウンタ３５は、入力されたサンプリングクロツク信号ＣＫ１５に基づいて暗号化画像データＤ１１に基づく画像の１フレーム分の各画素のアドレスを発生して、これら各画素のアドレスに基づくアドレス信号Ｓ１６をそれぞれ鍵データ生成回路３３のデシヤフリングアドレス生成部３６及びデシヤフリングメモリ３２に送出する。
【００５５】
ここで標本化部３４は、入力された音声データＤ１１をサンプリングクロツク信号ＣＫ１５が供給されるタイミングに応じて当該音声データＳ１１の時間軸方向又はレベル方向にサンプリングすることにより暗号化画像データＤ１２の時間軸と同期させた所定ビツト数の識別信号Ｓ１７を生成する。かくして標本化部３４は、暗号化画像データＤ１２に基づく画像の各フレームにそれぞれ対応させて順次送信装置２１の標本化部２６において生成された識別信号Ｓ１１と同じ識別信号Ｓ１７を生成し、当該識別信号Ｓ１７をデシヤフリングアドレス生成部３６に送出する。
【００５６】
デシヤフリングアドレス生成部３６は、内部に設けられた図示しないＲＯＭに、送信装置２１のシヤフリングアドレス生成部２８のＲＯＭに記憶されている各種シヤフリングパターンと同様の各種シヤフリングパターンが記憶されており、これら各種シヤフリングパターンから識別信号Ｓ１７に応じたシヤフリングパターンを選定して読み出す。この場合識別信号Ｓ１７に応じて選定された特定のシヤフリングパターンは、画像データＤ１０に基づく画像と暗号化画像データＤ１２に基づく画像の対応するフレームにおいて同一のシヤフリングパターンとなる。この後デシヤフリングアドレス生成部３６は、カウンタ３５から入力されたアドレス信号Ｓ１６に基づいて暗号化画像データＤ１２に基づく画像の１フレーム分の各画素がシヤフリングパターンに応じて暗号化前の状態に並べ替えられるべきアドレス（以下、これをデシヤフリングアドレスと呼ぶ）を生成し、当該デシヤフリングアドレスに応じたデシヤフリングアドレス信号Ｓ１８をデシヤフリングメモリ３２に送出する。
【００５７】
デシヤフリングメモリ３２は、入力されたデシヤフリングアドレス信号Ｓ１８に基づいて暗号化画像データＤ１２を当該暗号化画像データＤ１２に基づく画像の１フレーム毎に各画素をデシヤフリングして書き込む。このようにしてデシヤフリングメモリ３２は、暗号化画像データＤ１２をデシヤフリングアドレス信号Ｓ１８に基づいて当該暗号化画像データＤ１２に基づく画像を１フレーム単位毎に順次書き込みながらデシヤフリングすることにより当該暗号化画像データＤ１２を復号化し得るようになされている。またデシヤフリングメモリ３２は、このようにして書き込まれた画像データＤ１３をカウンタ３５から入力されたアドレス信号Ｓ１６に基づいて当該画像データＤ１３に基づく画像のフレーム単位毎に順次読み出して図示しない画像データ再生回路側に送出する。
【００５８】
以上の構成において、この送受信システム２０は、まず送信装置２１の標本化部２６において音声データＤ１１に基づいて識別信号Ｓ１１を生成し、次いで送信装置２１のシヤフリングアドレス生成部２８において識別信号Ｓ１１に基づいて各種シヤフリングパターンのうち、特定のシヤフリングパターンを選定し、この後このシヤフリングパターンに応じたシヤフリングアドレスを生成させる。
ここで送信装置２１のシヤフリングメモリ２４は、カウンタ２７から入力されたアドレス信号Ｓ１０に基づいて画像データＤ１０を当該画像データＤ１０に基づく画像のフレーム単位毎に順次書き込むと共に、シヤフリングアドレス生成部２８から順次入力されるシヤフリングアドレス信号Ｓ１２に基づいて画像データＤ１０に基づく画像を１フレーム単位毎に順次読み出すことにより当該画像の１フレーム単位毎の各画素をシヤフリングして画像データＤ１０を暗号化する。次いで送信装置２１の送信回路２９において音声データＤ１１と暗号化画像データＤ１２とを伝送に応じた所定フオーマツトの伝送信号Ｓ１３に変換して伝送する。
【００５９】
一方、この送受信システム２０は、受信装置２２の標本化部３４において音声データＤ１１に基づいて識別信号Ｓ１７を生成し、次いで送信装置２２のデシヤフリングアドレス生成部３６において各種シヤフリングパターンから識別信号Ｓ１７に応じた１つのシヤフリングパターンを選定し、この後このシヤフリングパターンに応じたデシヤフリングアドレスを生成させる。
ここで受信装置２２のデシヤフリングメモリ３２は、デシヤフリングアドレス生成部３６から順次入力されるデシヤフリングアドレス信号Ｓ１８に基づいて暗号化画像データＤ１２に基づく画像を１フレーム単位毎に順次デシヤフリングすることにより当該暗号化画像データＤ１２を復号化して画像データＤ１３として書き込むと共に、カウンタ３５から入力されたアドレス信号Ｓ１６に基づいて画像データＤ１３を当該画像データＤ１３に基づく画像のフレーム単位毎に順次読み出す。
【００６０】
従つてこの送受信システム２０においては、送信装置２１の標本化部２６において識別信号Ｓ１１を生成し、当該送信装置２１のシヤフリングアドレス生成部２８において各種シヤフリングパターンから識別信号Ｓ１１に応じたシヤフリングパターンを選定すると共に、受信装置２２の標本化部３４において識別信号Ｓ１７を生成し、当該受信装置２２のデシヤフリングアドレス生成部３６において各種シヤフリングパターンから識別信号Ｓ１７に応じたシヤフリングパターンを選定するようにしたことにより、送信装置２１から暗号化画像データＤ１２と音声データＤ１１とからなる伝送信号Ｓ１３を伝送する際に、従来伝送されていたシヤフリングパターンの識別信号を必要とせずに暗号化画像データＤ１２と音声データＤ１１とからなる伝送信号Ｓ１３だけを伝送することができる。
【００６１】
これに加え、この送受信システム２０においては、送信装置２１と受信装置２２とをほぼ同様に構成することができ、かくして送受信システム２０を簡易に構成することができる。
またこの送受信システム２０においては、シヤフリングパターンの内容を選定することにより、第１の実施例による送受信システム１に比べて画像データＤ１０の秘匿性を向上させることができる。
【００６２】
以上の構成によれば、送信装置２１の標本化部２６において識別信号Ｓ１１を生成し、当該送信装置２１のシヤフリングアドレス生成部２８において各種シヤフリングパターンから識別信号Ｓ１１に応じたシヤフリングパターンを選定して、送信装置２１のシヤフリングメモリ２４において当該シヤフリングパターンに応じたシヤフリングアドレスに基づいて画像データＤ１０に基づく画像を１フレーム単位毎に順次シヤフリングするようにして当該画像データＤ１０を暗号化すると共に、受信装置２２の標本化部３４において識別信号Ｓ１７を生成し、当該受信装置２２のデシヤフリングアドレス生成部３６において各種シヤフリングパターンから識別信号Ｓ１７に応じたシヤフリングパターンを選定して、受信装置２２のデシヤフリングメモリ３２において当該シヤフリングパターンに応じたデシヤフリングアドレスに基づいて暗号化画像データＤ１２に基づく画像を１フレーム単位毎に順次デシヤフリングするようにして当該暗号化画像データＤ１２を復号化するようにしたことにより、送信装置２１において画像データＤ１０及び音声データＤ１１の情報量とほぼ同じ情報量でなる暗号化画像データＤ１２及び音声データＤ１１だけを伝送することができるので、送信装置２１と受信装置２２との構成を簡易にすることができ、かくして送受信システムを簡易に構成することができる。
【００６３】
また以上の構成によれば、音声データＤ１１から識別信号Ｓ１１を生成する標本化部２６と、各種シヤフリングパターンから当該識別信号Ｓ１１に応じたシヤフリングパターンを選定し、当該シヤフリングパターンに応じたシヤフリングアドレス信号Ｓ１２を生成するシヤフリングアドレス生成部２８と、当該シヤフリングアドレス信号Ｓ１２に基づいて画像データＤ１０に基づく画像を１フレーム単位毎に順次シヤフリングするようにして当該画像データＤ１０を暗号化するシヤフリングメモリ２４とを設けるようにしたことにより、画像データＤ１０及び音声データＤ１１の情報量とほぼ同じ情報量でなる暗号化画像データＤ１２及び音声データＤ１１を伝送することができ、かくして構成を簡易にし得る送信装置を実現することができる。
【００６４】
さらに以上の構成によれば、送信装置２１が音声データＤ１１から識別信号Ｓ１１を生成し、当該識別信号Ｓ１１に応じたシヤフリングパターンを選定してこのシヤフリングパターンに応じたシヤフリングアドレス信号Ｓ１２を生成し、当該シヤフリングアドレス信号Ｓ１２に基づいて画像データＤ１０に基づく画像を１フレーム単位毎に順次シヤフリングするようにして当該画像データＤ１０を暗号化するのに対応させて、音声データＤ１１から識別信号Ｓ１７を生成する標本化部２６と、各種シヤフリングパターンから当該識別信号Ｓ１７に応じたシヤフリングパターンを選定し、当該シヤフリングパターンに応じたデシヤフリングアドレス信号Ｓ１８を生成するシヤフリングアドレス生成部３６と、当該デシヤフリングアドレス信号Ｓ１８に基づいて暗号化画像データＤ１２に基づく画像を１フレーム単位毎に順次デシヤフリングするようにして当該暗号化画像データＤ１２を復号化するデシヤフリングメモリ３２とを設けるようにしたことにより、送信装置２１において画像データＤ１０及び音声データＤ１１の情報量とほぼ同じ情報量でなる暗号化画像データＤ１２及び音声データＤ１１だけを伝送させることができ、かくして構成を簡易にし得る受信装置を実現することができる。
【００６５】
さらに以上の構成によれば、音声データＤ１１から識別信号Ｓ１１を生成し、次いで各種シヤフリングパターンから当該識別信号Ｓ１１に応じたシヤフリングパターンを選定して当該シヤフリングパターンに応じたシヤフリングアドレス信号Ｓ１２を生成し、続いて当該シヤフリングアドレス信号Ｓ１２に基づいて画像データＤ１０に基づく画像を１フレーム単位毎に順次シヤフリングするようにして当該画像データＤ１０を暗号化するようにしたことにより、画像データＤ１０のビツト数を増加させずに暗号化することができるので、画像データＤ１０及び音声データＤ１１の情報量とほぼ同じ情報量でなる暗号化画像データＤ１２及び音声データＤ１１を伝送することができ、かくして送信装置の構成を簡易にし得る送信方法を実現することができる。
【００６６】
さらに以上の構成によれば、送信装置２１において音声データＤ１１から識別信号Ｓ１１を生成し、当該識別信号Ｓ１１に応じたシヤフリングパターンを選定してこのシヤフリングパターンに応じたシヤフリングアドレス信号Ｓ１２を生成し、当該シヤフリングアドレス信号Ｓ１２に基づいて画像データＤ１０に基づく画像を１フレーム単位毎に順次シヤフリングするようにして当該画像データＤ１０を暗号化するのに対応させて、音声データＤ１１から識別信号Ｓ１７を生成し、次いで各種シヤフリングパターンから当該識別信号Ｓ１７に応じたシヤフリングパターンを選定して当該シヤフリングパターンに応じたデシヤフリングアドレス信号Ｓ１８を生成し、続いて当該デシヤフリングアドレス信号Ｓ１８に基づいて暗号化画像データＤ１２に基づく画像を１フレーム単位毎に順次デシヤフリングするようにして当該暗号化画像データＤ１２を復号化するようにしたことにより、送信装置２１において画像データＤ１０及び音声データＤ１１の情報量とほぼ同じ情報量でなる暗号化画像データＤ１２及び音声データＤ１１だけを伝送させることができ、かくして受信装置の構成を簡易にし得る受信方法を実現することができる。
【００６７】
（３）他の実施例
なお上述の第１実施例においては、送信装置２と受信装置３との鍵データ生成回路５及び１１においてそれぞれ音声データＤ１のＬチヤンネルのデータとＲチヤンネルのデータとを交互に８ビツト単位で切り出して鍵データＤ２及びＤ５を生成するようにした場合について述べたが、本発明はこれに限らず、音声データＤ１に含まれる個人の声やオーデイオのデータ等の周波数の時間変化でなる鍵データを生成するようにしても良い。
【００６８】
ここで図５に示すように、鍵データ生成回路４０において例えば音声データＤ２０に含まれる声のデータに基づいて鍵データＤ２１を生成する場合には、まず音声データＤ２０をホルマント周波数分析回路４１に入力し、当該ホルマント周波数分析回路４１において音声データＤ２０に含まれる声を音韻に応じた周波数帯域毎に分割してこれら周波数帯域毎の周波数の時間変化のデータを生成する。この後このデータに周波数の振幅に応じた輝度データを与えて声紋データＤ２２を生成し、当該声紋データＤ２２を画像化回路４２に送出する。
【００６９】
次いで画像化回路４２において声紋データＤ２２の振幅の変化を画像の各ライン毎に割り当てることにより、当該画像に基づく声紋画像データでなる鍵データＤ２１を生成する。なおこの場合鍵データＤ２１に基づく画像は、図示しない伝送対象の画像データに基づく画像の画素数と同じ画素数を有する。かくして鍵データ生成回路４０においては、鍵データＤ２１を図示しない排他的論理和演算回路に送出し、当該排他的論理和演算回路において当該鍵データＤ２１と画像データ（及び暗号化画像データ）との対応するデータにおいて排他的論理和演算を行い、当該画像データ（及び復号化画像データ）を暗号化（及び復号化）することができる。
【００７０】
また図６に示すように、鍵データ生成回路４５において例えば音声データＤ２５に含まれるオーデイオデータのうち、特にリズムに基づいて鍵データＤ２６を生成する場合には、まず音声データＤ２５を所定の値以下の周波数のみを通過させる低域通過フイルタ４６を通過させることにより、当該音声データＤ２５から例えばバスドラムが刻むリズムを抜き出してリズムデータＤ２７を生成する。次いで２値化回路４７においてリズムデータＤ２７の周波数を時間軸も含めて所定のしきい値と比較して２値化した後、当該２値化されたリズムデータＤ２８をシリアルパラレル変換回路（Ｓ／Ｐ変換回路）４８において例えば８ビツト毎にまとめて図示しない伝送対象の画像データに基づく画像の画素に応じたデータ数を有する鍵データＤ２６を生成する。続いて図示しない排他的論理和演算回路において当該鍵データＤ２６と画像データ（及び暗号化画像データ）との対応するデータにおいて排他的論理和演算を行い、当該画像データ及び（暗号化画像データ）を暗号化（及び復号化）することができる。
【００７１】
また上述の第１実施例においては、送信装置２及び受信装置３においてそれぞれ画像データＤ３及び暗号化画像データＤ４の水平同期信号を用いてこれら画像データＤ３及び暗号化画像データＤ４の時間軸と同期させた鍵データＤ２及びＤ５を生成するようにした場合について述べたが、本発明はこれに限らず、送信装置２及び受信装置３においてそれぞれ画像データＤ３及び暗号化画像データＤ４の垂直同期信号に同期させた鍵データを生成するようにしても良い。
【００７２】
さらに上述の第２実施例においては、送信装置２１及び受信装置２２においてそれぞれ画像データＤ１０及び暗号化画像データＤ１２にそれそれ基づく画像をフレーム単位毎に順次シヤフリング及びデシヤフリングするようにした場合について述べたが、本発明はこれに限らず、送信装置２１及び受信装置２２においてそれぞれ画像データＤ１０及び暗号化画像データＤ１２にそれそれ基づく画像を１フレーム又は１ラインの所定数の画素からなるブロツクや各ライン単位毎に順次シヤフリング及びデシヤフリングするようにしても良い。
【００７３】
さらに上述の第１及び第２実施例においては、音声データＤ１及びＤ１１に基づいてそれぞれ鍵データＤ２、Ｄ５及び識別信号Ｓ１１、Ｓ１７を生成するようにした場合について述べたが、本発明はこれに限らず、例えば画像データＤ３及びＤ１０が文字多重信号を有する場合には、当該文字多重信号をデコードして文字画像にし、当該文字画像に基づいて鍵データ及び識別信号を生成するようにしても良い。
【００７４】
【発明の効果】
上述のように本発明によれば、画像データを暗号化して、当該暗号化した画像データを伝送する送信装置において、暗号化した画像データと共に伝送される所定データに基づいて識別信号を生成する識別信号生成手段と、画像データに基づく画像の１フレーム分又は１ライン分の複数の画素に応じた複数種類のシヤフリングパターンを有し、当該複数種類のシヤフリングパターンから識別信号に応じたシヤフリングパターンを選定し、当該選定したシヤフリングパターンに応じて各画素を並べ替えるアドレスからなる鍵データを生成する鍵データ生成手段と、鍵データに基づいて画像データに基づく画像の１フレーム分又は１ライン分の各画素をシヤフリングすることにより当該画像データを暗号化する暗号化手段とを設けるようにしたことにより、画像データを当該画像データのビツト数を増加させずに暗号化することができるので、所定データ及び画像データの情報量とほぼ同じ情報量でなる所定データ及び暗号化された画像データを伝送することができ、かくして構成を簡易にし得る送信装置を実現することができる。
【００７５】
また上述のように本発明によれば、送信装置から伝送される暗号化された画像データを受信する受信装置において、暗号化された画像データと共に伝送された所定データに基づいて識別信号を生成する識別信号生成手段と、暗号化された画像データに基づく画像の１フレーム分又は１ライン分の複数の画素に応じた複数種類のシヤフリングパターンを有し、当該複数種類のシヤフリングパターンから識別信号に応じたシヤフリングパターンを選定し、当該選定したシヤフリングパターンに応じて各画素を並べ替えるアドレスからなる鍵データを生成する鍵データ生成手段と、鍵データに基づいて暗号化された画像データに基づく画像の１フレーム分又は１ライン分の各画素をデシヤフリングすることにより当該暗号化された画像データを復号化する復号化手段とを設けるようにしたことにより、送信装置において所定データ及び画像データの情報量とほぼ同じ情報量でなる所定データ及び暗号化された画像データだけを伝送させることができ、かくして構成を簡易にし得る受信装置を実現することができる。
【００７６】
さらに上述のように本発明によれば、画像データを暗号化して、当該暗号化した画像データを伝送する送信方法において、暗号化した画像データと共に伝送する所定データに基づいて識別信号を生成し、画像データに基づく画像の１フレーム分又は１ライン分の複数の画素に応じた複数種類のシヤフリングパターンから識別信号に応じたシヤフリングパターンを選定し、当該選定したシヤフリングパターンに応じて各画素を並べ替えるアドレスからなる鍵データを生成し、次いで当該鍵データに基づいて画像データに基づく画像の１フレーム分又は１ライン分の各画素をシヤフリングすることにより当該画像データを暗号化するようにしたことにより、画像データを当該画像データのビツト数を増加させずに暗号化することができるので、所定データ及び画像データの情報量とほぼ同じ情報量でなる所定データ及び暗号化された画像データを伝送することができ、かくして送信装置の構成を簡易にし得る送信方法を実現することができる。
【００７７】
さらに上述のように本発明によれば、伝送される暗号化された画像データを受信する受信方法において、暗号化された画像データと共に伝送された所定データに基づいて識別信号を生成し、暗号化された画像データに基づく画像の１フレーム分又は１ライン分の複数の画素に応じた複数種類のシヤフリングパターンから識別信号に応じたシヤフリングパターンを選定し、当該選定したシヤフリングパターンに応じて各画素を並べ替えるアドレスからなる鍵データを生成し、当該鍵データに基づいて暗号化された画像データに基づく画像の１フレーム分又は１ライン分の各画素をデシヤフリングすることにより当該暗号化された画像データを復号化するようにしたことにより、送信装置において所定データ及び画像データの情報量とほぼ同じ情報量でなる所定データ及び暗号化された画像データだけを伝送させることができ、かくして受信装置の構成を簡易にし得る受信方法を実現することができる。
【図面の簡単な説明】
【図１】本発明の第１実施例による送受信システムの構成を示すブロツク図である。
【図２】本発明の第１実施例による鍵データ生成回路における音声データの切り出しの説明に供する概略図である。
【図３】本発明の第１実施例による鍵データ生成回路の構成を示すブロツク図である。
【図４】本発明の第２実施例による送受信システムの構成を示すブロツク図である。
【図５】他の実施例による鍵データ生成回路の構成を示すブロツク図である。
【図６】他の実施例による鍵データ生成回路の構成を示すブロツク図である。
【符号の説明】
１、２０……送受信システム、２、２１……送信装置、３、２２……受信装置、５、１１、２５、３３、４０、４５……鍵データ生成回路、６、１２……排他的論理和演算回路、２４……シヤフリングメモリ、２８……シヤフリングアドレス生成部、３２……デシヤフリングメモリ、３６……デシヤフリングアドレス生成部。
【図１】
0003753262.tif 000002
【図２】
0003753262.tif 000003
【図３】
0003753262.tif 000004
【図４】
0003753262.tif 000005
【図５】
0003753262.tif 000006
【図６】
0003753262.tif 000007